(57)【要約】【課題】細かい花粉から一般的な粉塵、オイルダストまで幅広い範囲で利用でき、濾過率が高く、目詰まりのない、楽に呼吸ができる一般の生活環境にも気軽に利用できる新型マスクを提供することを目的とする。【解決手段】濾過用フィルターは、無数の繋いでいるトラップ室により形成した折曲がる空気の通路で、その中の各トラップ室に粘着剤が塗布されており、空気中の花粉や粉塵などは空気の流れによりトラップ室の壁にぶつかり、壁上の粘着剤に取られる。花粉やより大きい粉塵などは全部トラップ室の壁にくっ付いているので空気の通路を邪魔することはない。目詰まりが生じない。オイルダストを濾過する場合、トラップ室の壁に粘着剤を塗らなくても、トラップ室中に空気の流れ方またオイルダストの粘着性によって濾過できる。しかも目詰まりが生じない。マスクの各部分を一つのカバーによって連結、固定する。外観の全体性が強調され、ファッション性を向上する。【選択図】　図３
2004057750.tif 000002
【特許請求の範囲】
【請求項１】
空気の入口と出口があり、周りが密閉された空気の通路の内部には三角形の空間が多数あり、それぞれの三角形の空間が反対側の三角形の空間と繋がり、各三角形の空間の中には粘着剤を塗布したフィルターを使用することを特徴とするマスク。
【請求項２】
上記フィルターの各三角形空間に粘着剤を塗布しないフィルターを使用することを特徴とするマスク。
【請求項３】
外側にマスクの各部分を連結、固定する一つ大きなカバーを設
けた上記
【請求項１】
、
【請求項２】
に記載したマスク。
【請求項４】
外気を遮断するための接顔面パッキンを鼻部と口部両方に設けた上記マスク。
【請求項５】
上記フィルターをマスクの両側に配置した上記マスク。
【請求項６】
吸気、排気単方向弁を設けた上記マスク。
【発明の詳細な説明】
【０００１】
【発明の属する技術分野】
本発明は花粉、粉塵、オイルダストなどの濾過マスクに関する。
【０００２】
【従来の技術】
従来の各種のマスクには繊維製また活性炭素フィルターがよく使用される。異物がこれらのフィルター上に溜まると目詰まりが生じる。網目が大きければ小さな埃は通過してしまい、網目が小さければ濾過効果が高まるが、逆に目詰まりやすくなる。目詰まりが生じると、フィルターは空気の濾過機能が落ち、通気性も悪くなり、空気抵抗が高まる。また平面的な繊維エアフィルターでは通気機能と濾過機能が同じ平面にあるので、通気機能と濾過機能の両立ができないことがエアフィルターの機能を向上する面においても、大きな問題点になる。
【０００３】
一般の市販されているガーゼや不織布の花粉マスクは、これらのマスクを用いることにより、花粉の透過を軽減することが可能である。しかし、このような花粉マスクは花粉を濾過するために、目が非常に小さくなっており、通気性が悪く、目詰まりが生じやすく、息苦しくなる。マスクの周辺から花粉、粉塵などが吸い込まれる。密閉性も問題がある。
構造のより複雑な防塵マスクは初期の段階では濾過効果がよい、呼吸も楽にできるが、時間が経つと目詰まりも生じ、通気性が悪くなり、しだいに効果も失っていく。濾過率の高い防塵マスクは花粉の濾過にも効果があるが、体積が大きく、ファッション性のないことで、一般の生活環境に使いにくい面に問題がある。
また、一般の花粉マスクと防塵マスクは粘着性のオイルダストに弱い。
【０００４】
【発明が解決しようとする課題】
本発明は細かい花粉から一般的な粉塵、オイルダストまで幅広い範囲で利用できる。目詰まりのない、濾過率が高く、外観も考慮した新型マスクを提供することを目的とする。
【０００５】
【課題を解決するための手段】
本発明は上記目的を達成するために新しい構造、また、空気を濾過するフィルターは自社が開発した粘着エアフィルターを採用する。
自社が開発した粘着エアフィルター（自社が開発した粘着エアフィルターの特許申請番号：２０００−２４９０００）は２つ以上の断面の形は鋸歯状部材と固定用部材により構成された空気の入口と出口のある四周を密閉する空間の内側には、無数の三角形の空間（以下トラップ室という）が形成され、各トラップ室が反対側のトラップ室と繋がっている。入口側にある第一トラップ室と出口側にある最後のトラップ室以外の各トラップ室が反対側の２つのトラップ室と繋がっている。各トラップ室には粘着剤が塗布されている。無数のトラップ室により折曲がる空気の通路を形成する。
【０００６】
粘着フィルターの入口から入った空気は真直ぐに進まず、最初のトラップ室に入り、大きな粘着性面積を持つトラップ室の壁にぶつかりながら、複雑な流れになって、次と次のトラップ室に入っていく。このような過程は何回も或は何十回も繰返され、出口から出た空気は、綺麗に濾過される。吸い気弁を通って、人間に吸い込まれる。空気中の花粉や粉塵などは空気の流れによりトラップ室の壁にぶつかり、壁上の粘着剤に取られる。空気の流れは各トラップ室で少なくとも２回以上壁とぶつかる。花粉や粉塵などの異物は何百回か粘着材と接触したあと粘着フィルターを通過することが極めて困難である。花粉やより大きい粉塵などはトラップ室の壁の粘着剤に付着しているので空気の通路を邪魔することはなく、目詰まりが生じない。
【０００７】
大きな面積をもつトラップ室の粘着性壁と（実験に使用した日石の無毒、無害エバータック粘着材は浸透性があり、少し時間が経つと、粘着材表面に付着した花粉、粉塵など異物の表面が新しい粘着層を覆うようになる。）粘着性の強い、浸透性がある粘着剤により、高い濾過効果と濾過機能がより長時間持続することができる。
オイルダストを濾過する場合、トラップ室の壁に粘着剤を塗らなくでも、トラップ室中の空気の流れ方またオイルダストの粘着性によって濾過できる。
【０００８】
または、粘着フィルターなどマスクの各部分が一つのカバーにより連結、固定される。外観の全体性が強調され、ファッション性を向上する。
【０００９】
【発明の実施の形態】
以下、図１〜４に基づき、本発明の望ましい実施形態を説明する。
図１、図２はこの発明が使用する粘着フィルターの基本構造を示したものである。鋸歯状部材１ａと形、長さが同じ部材１ｂは図１のように逆向きをし、上下に少しずれの位置に配置される。側面と上下固定用部材１ｃ、１ｄと１ｅ、１ｆは鋸歯状部材１ａ、１ｂの位置を固定し、また周囲から空気が入らないように密閉する。
【００１０】
これらの部材により周りが密閉的で空気が通過できる特殊な通路が構成され、この特殊な通路の両側には向きの違うトラップ室（三角形の空間）がたくさん設けてある。各トラップ室には無毒、無臭、乾燥に強い粘着剤が塗布されている。この通路は入口から入った空気を屈折させ，特殊な空気の流れを作り，粘着材により空気中の異物を濾過する。
１ｇは空気の入口、１ｈは空気の出口、１ｉはトラップ室、１ｊは粘着材である。
【００１１】
本発明に使用する粘着フィルターは使用環境と目的に合わせて、部材１ａと１ｂの面積，角度などを調節して，通気量と濾過率を、通気量の拡大、縮小の調節ができる。
また使用目的、環境によって、粘着トラップ室を増やしていくと、もっと高い濾過機能を持ち長時間使用できる大型粘着エアフィルターになる。
【００１２】
一般的に図１のように入口を上にして、フィルターの全体を縦にして、使用するほうが望ましい。
【００１３】
本発明の粘着フィルター式マスクの全般構造について
図３、図４において、１は粘着フィルターで、導気管１５により左右２つのフィルターがつながる。導気管１５の上に吸気弁１６を設けてある。吸気弁１６は２を通して、使用者の口周りの密閉された空間と連結している。２は口周りの空間を密閉するための弾性材パッキンである。５は鼻の周りを密閉する弾性材パッキンである。２と５の上に溝３と６を設けてある。７はマスクカバーで、マスクカバーの裏には突起部の８と９がある。マスクカバー７の両端部に粘着フィルターを固定するためのベルトを通す穴１４、正面には口と鼻が共に利用できる排気弁１０が設けてある。
【００１４】
マスクカーバ７裏の突起部の８と９をパッキン部の溝３、６の中に差し込み、マスクカーバとパッキン部により口と鼻を分けて二つの外気を遮断する空間を形成する。この二つの外気を遮断する空間はマスクカバー突起部の８に設けられた通気穴１１とパッキン２に設けられた凹み４によって、つながることになる。
【００１５】
固定用ベルト１７をマスクカーバの固定穴１４を通して留め具で留める。粘着フィルターは固定用ベルト１７、マスクカバーフィルター固定辺１３、フィルター固定角１２などにより固定される。
【００１６】
フィルターは交換できる。用途に合わせてサイズの違うフィルターも交換できる。
【００１７】
【発明の効果】
内部の構造で粘着フィルターに入った空気はフィルター内壁に繰り返し接触しながら、前進する。最後にフィルターを通過する。フィルター内壁に粘着性の強い粘着材を厚めに塗ってあり、肉眼に見えない小さな埃、花粉などの異物は一回粘着材に触れると再び離れない。しかも粘着材の染み込む性質により一度取れた異物の表面にまた新しい粘着層ができるので、粘着面積が大きく、濾過率が高く、効果が長持ちである。長い間粘着効果がある。空気の流れに乗ってフィルター内部に入った花粉、粉塵など異物は粘着性の強い粘着材を塗った壁に何百回も衝突することになるので、極めて高い濾過効果がある。
【００１８】
濾過した異物はトラップ室の壁に付着しているので、空気の通り道を妨げることがない。目詰まりが生じなく、特に粘着性を持つオイルダストに対して、効果的である。
【００１９】
濾過機能と通気機能が同じ平面に存在していないので、使用環境、目的に応じて、通気量と粘着面積の比例が調整できる。通気量と濾過率が両方ともアップできる。
口と鼻を分けて密閉するのは密閉しやすい、死積もすくない、
コンパクトで全体性が向上し、視野の邪魔がなく、防塵マスクだけでなく、一般の生活環境中の花粉マスクとしても気楽に利用できる。
【図面の簡単な説明】
【図１】粘着式フィルターの構造を示す立体図
【図２】粘着式フィルターの断面図
【図３】粘着フィルター式マスクの構造を示す立体図
【図４】粘着フィルター式マスクの構造を示す側面図
【符号の説明】
１ａ、１ｂ　鋸歯状辺部材
１ｃ、１ｄ　側面固定用辺部材
１ｅ　上部用密閉部品
１ｆ　下部部用密閉部品
１ｇ　空気の入口
１ｈ　空気の出口
１ｉ　粘着面
１ｊ　トラップ室（三角形空間）
１　粘着式フィルター
２　口周りの空間を密閉するための弾性材パッキン
３　口周りの空間を密閉するための弾性材パッキン上の溝
４　口周りの空間を密閉するための弾性材パッキンの上に設けられた通気口
５　鼻の周りを密閉する弾性材パッキン
６　鼻の周りを密閉する弾性材パッキン上の溝
７　マスクカバー
８，９　マスクカバーの裏に設けた突起部
１０　排気弁
１１　マスクカーバ突起部の８に設けられた通気穴
１２　粘着フィルターを固定する角
１３　粘着フィルターを固定するための辺
１４　粘着フィルターを固定するためのベルトを通す穴
１５　導気管
１６　吸気弁
１７　粘着フィルターを固定するベルト
１８　マスクを固定するベルト
【図１】
2004057750.tif 000003
【図２】
2004057750.tif 000004
【図３】
2004057750.tif 000005
【図４】
2004057750.tif 000006